(57)【要約】【課題】指定ページへ直接移動でき、高速で且つ分かり易く、手間をかけずにサイトの閲覧が可能なページ閲覧装置を提供する。【解決手段】過去に閲覧したサイトのページ情報を記憶装置１０４に記憶させておき、記憶装置１０４に記憶している過去に閲覧したページを示す所定情報（ＵＲＬやページ番号）を表示装置１０５上にツリー状に表示する。また、表示装置１０５の表示画面上にツリー状に表示された所定情報の中から目的のページが選択されると、そのページ情報を表示装置１０５の表示画面上に表示させる。即ち、指定ページに直接移動させることで、高速且つ分かり易く手間をかけずにサイトの閲覧を可能とする。【選択図】        図３
2004362141.tif 000002
【特許請求の範囲】
【請求項１】
ネットワークを介して接続されたサイトのページ情報を閲覧するページ閲覧装置において、過去に閲覧したページ情報を記憶する手段と、ページ情報及び前記記憶手段に記憶している過去に閲覧したページを示す所定情報をツリー状に表示する手段と、前記表示手段の表示画面上にツリー状に表示された所定情報の中から目的のページを選択する手段と、前記選択手段によって選択されたページ情報を前記表示手段の表示画面上に表示させる手段とを備えたことを特徴とするページ閲覧装置。
【請求項２】
前記表示手段は、１つの表示画面が２つの表示画面に分割され、前記ページ情報が分割画面の一方に表示され、前記ツリー状の過去に閲覧したページ情報が他方側の表示画面に表示されることを特徴とする請求項１に記載のページ閲覧装置。
【請求項３】
前記表示手段は、１つの表示画面から成り、前記ページ情報を表示する場合と、前記ツリー状の過去に閲覧したページ情報を表示する場合とで前記表示手段の表示画面が切り換えられることを特徴とする請求項１に記載のページ閲覧装置。
【請求項４】
ネットワークを介して接続されたサイトのページ情報を閲覧するページ閲覧装置において、過去に閲覧したページ情報を記憶する手段と、ページ情報を表示する第１の表示手段と、前記記憶手段に記憶している過去に閲覧したページを示す所定情報をツリー状に表示する第２の表示手段と、前記第２の表示手段にツリー状に表示された所定情報の中から目的のページを選択する手段と、前記選択手段によって選択されたページ情報を前記第１の表示手段に表示させる手段とを備えたことを特徴とするページ閲覧装置。
【請求項５】
前記選択手段は、前記表示画面上に表示されたツリー状の所定情報のアイコンを選択するポインティングデバイスであることを特徴とする請求項１〜４のいずれか１項に記載のページ閲覧装置。
【請求項６】
前記選択手段は、前記表示画面上に表示されたツリー状の所定情報のページ番号を指定する数字キーであることを特徴とする請求項１〜４のいずれか１項に記載のページ閲覧装置。
【請求項７】
選択手段は、前記表示画面上に表示されたツリー状の所定情報上をカーソルを移動させる方向キーを含み、前記方向キーで選択されたカーソル位置で決定キーを押下することにより目的のページが選択されることを特徴とする請求項１〜４のいずれか１項に記載のページ閲覧装置。
【発明の詳細な説明】
【０００１】
【発明の属する技術分野】
本発明は、インターネット等によってサイトの情報を閲覧するページ閲覧装置に関するものである。
【０００２】
【従来の技術】
従来、固定情報端末や携帯情報端末においてインターネット等でサイトの情報を取得する場合には、一度取得したページの情報の一部を記憶装置に保存しておいて、以前閲覧したページをもう一度閲覧したい時には、記憶装置より読み出すことにより情報取得時間を短縮することが一般的である。
【０００３】
また、特開２０００−２２２４３３号公報には、ＷＷＷ上で情報検索を行っている際、現在地点が把握できなくなった場合、現在地点を容易に把握し、正しい経路に戻るヴラウジン処理装置が提案されている。これは、ツリー構造を用いてアクセスしたページ及びこのページに直接リンクしているページのみを両者区別して履歴表示するものである（特許文献１参照）。
【０００４】
更に、特開２００２−２０７７６６号公報には、リンク元からのリンクに基づくツリー構造でダウンロードしたページの履歴を表示することが記載されている（特許文献２参照）。
【０００５】
【特許文献１】
特開２０００−２２２４３３号公報（段落００１４、００３０、図５）
【特許文献２】
特開２００２−２０７７６６号公報（段落０００９〜００１２、図３）
【０００６】
【発明が解決しようとする課題】
上記従来方法において、例えば、図８のような構成のサイトを閲覧する場合には、ページ１、２、３、４、５を順番に閲覧し、次にページ２に戻ってページ６、７、８を閲覧したとする。その後、もう一度ページ５を閲覧しようとすると、記憶装置には図９に示すようにページ１、２、６、７、８の情報しか保存されていない。図８、図９の数値はページ番号を示す。従って、ページ２まで戻ってもう一度ページ３、４、５の情報を取得する必要がある。しかし、これでは大変な時間と手間がかかるし、非常に分かりにくい。更に、従量制課金の場合には無駄な通信料金が発生する問題があった。
【０００７】
また、特開２０００−２２２４３３号公報や特開２００２−２０７７６６号公報で提案された方法では、現在地点を容易に把握できる、戻りたいページを容易に把握できる等の利点はあるが、上述のように過去に閲覧したページを再度閲覧する場合には、時間と手間がかかるという問題があった。
【０００８】
本発明は、上記従来の問題点に鑑みなされたもので、その目的は、過去に閲覧したページを再度閲覧する際に、高速且つ分かり易く、手間をかけずに閲覧が可能なページ閲覧装置を提供することにある。
【０００９】
【課題を解決するための手段】
本発明は、上記目的を達成するため、ネットワークを介して接続されたサイトのページ情報を閲覧するページ閲覧装置において、過去に閲覧したページ情報を記憶する手段と、ページ情報及び前記記憶手段に記憶している過去に閲覧したページを示す所定情報をツリー状に表示する手段と、前記表示手段の表示画面上にツリー状に表示された所定情報の中から目的のページを選択する手段と、前記選択手段によって選択されたページ情報を前記表示手段の表示画面上に表示させる手段とを備えたことを特徴とする。
【００１０】
また、本発明は、ネットワークを介して接続されたサイトのページ情報を閲覧するページ閲覧装置において、過去に閲覧したページ情報を記憶する手段と、ページ情報を表示する第１の表示手段と、前記記憶手段に記憶している過去に閲覧したページを示す所定情報をツリー状に表示する第２の表示手段と、前記第２の表示手段にツリー状に表示された所定情報の中から目的のページを選択する手段と、前記選択手段によって選択されたページ情報を前記第１の表示手段に表示させる手段とを備えたことを特徴とする。
【００１１】
【発明の実施の形態】
次に、本発明の実施の形態について図面を参照して詳細に説明する。
【００１２】
（第１の実施形態）
図１は本発明の第１の実施形態の構成を示すブロック図である。本実施形態では、表示装置が一つの場合の情報端末の構成例を説明する。入力装置１０１はキーボード或いはポインティングデバイス等の入力装置であり、演算処理装置（ＣＰＵ）１０３に入力情報を入力する。演算処理装置１０３は入力装置１０１からの入力情報に基づいて装置内の各部の制御を行い、記憶装置（メモリ）１０４にページ情報を保存したり、或いは表示装置（ディスプレイ）１０５に情報を表示させる制御を行う。
【００１３】
また、演算処理装置１０３は入力装置１０１からの入力情報に基づいて通信装置（モデムや無線機等）１０２の制御を行い、インターネット（図示せず）等を介してサイトの情報を取得する。
【００１４】
ここで、本実施形態では、サイトの情報を取得する場合には、例えば、図２に示すように表示装置１０５の表示画面を２つに分割し、１つの表示画面に現在閲覧中のページ情報を表示する。また、他方の表示画面に過去に閲覧したページの特定情報（ＵＲＬやページの名前）をツリー状に表示する。図２では便宜上数字でページ番号をツリー状に示しているが、これは上述のようにＵＲＬやページの名前等をツリー状に表示する。過去に閲覧したページ情報は記憶装置１０４に記憶させておく。
【００１５】
なお、表示装置１０５の画面が小さい場合やツリーを大きく表示したい場合には、画面を分割せずに全画面に表示することも可能である。この場合には、ツリーの情報から表示すべきページが入力装置１０１の操作によって選択されると、表示装置１０５の画面を切り替えて表示装置１０５の全画面に選択されたページ情報を表示する。
【００１６】
次に、本実施形態の具体的な動作を図３に示すフローチャートを参照して説明する。まず、入力装置１０１からの入力情報に基づいてサイトの閲覧を開始すると（ステップ３０１）、演算処理装置１０３は通信装置１０２の制御を行い、指定されたサイトのページ情報を取得する（ステップ３０２）。ここでは、例えば、図８に示す構成のサイトがあったとし、そのサイトを閲覧する場合を例に挙げて説明する。
【００１７】
この時は、図８に示すようにページ１、２、３、４、５を順番に閲覧し、次にページ２に戻ってページ６、７、８まで閲覧したとする。従って、それに伴い、記憶装置１０４にはこのページ１、２、３、４、５、ページ６、７、８の情報が保存され（ステップ３０３）、且つ、ページ情報を閲覧順に表示装置１０５に表示していく（ステップ３０４）。
【００１８】
この場合には、ステップ３０２〜３０４の処理を繰り返し行い、記憶装置１０４には図４に示すようにページ１、２、３、４、５、６、７、８の情報を保存していく。この時、表示装置１０５には最後に閲覧したページ８の情報が表示されている（ステップ３０５）。
【００１９】
ここで、再度ページ５の情報を閲覧するため表示装置１０５にページ５の情報を表示する場合には、入力装置１０１の図示しないスイッチを押す等の操作を行うことにより、図５に示すように表示装置１０５の分割画面の一方の画面に過去に閲覧したページの特定情報（ＵＲＬやページの名前等）をツリー状に表示する（ステップ３０６）。
【００２０】
この状態で、入力装置１０１を操作し、例えば、図５に示すようにページ５のアイコンを選択することや、或いは、直接数字キーを押すことにより（ステップ３０７）、図５に示すように分割画面の他方側の画面にページ５の情報を表示する（ステップ３０８）。これは、ページ５の情報を記憶装置１０４から読み出すことで表示を行う。なお、過去に閲覧したページのツリーは表示装置１０５の画面が小さい場合やツリーを大きく表示したい場合は分割せずに全画面に表示しても良い。
【００２１】
このように本実施形態では、複雑に張られたリンクをツリー状に表示でき、数字を入力したり、或いはアイコンを選択することで、すぐに目的のページへ移動でき、時間と手間を削減できる。また、パケット課金、時間課金等、従量制課金の場合には、無駄な情報取得がないため通信料金を節約することができ、大きな経済効果も得られる。
【００２２】
（第２の実施形態）
図６は本発明の第２の実施形態を示すブロック図である。図６では図１と同一部分は同一符号を付して説明を省略する。本実施形態では、図６に示すように表示装置が１０５Ａと１０５Ｂの２つある場合の構成を示す。表示装置が２つある以外は第１の実施形態と同様である。本実施形態では、図７（ａ）に示すように表示装置１０５Ａに過去に閲覧したページをツリー状に表示し、表示装置１０５Ｂにはページ情報を表示する。
【００２３】
本実施形態では、先の実施形態と同様に過去に閲覧したページ１、２、３、４、５、６、７、８の中から、再度、どれかのページ情報を表示する場合には、図７（ａ）に示すように同様に目的のページのアイコンを選択したり、或いは直接数字キーを押下することで、図７（ｂ）に示すように表示装置１０５Ｂに選択したページ情報を表示する。
【００２４】
なお、ページを選択するための他の例としては、例えば、方向キー（左右等）で履歴のツリー画面上をカーソルが履歴順に移動するようにし、決定キーを押すことによりページを選択しても良い。
【００２５】
【発明の効果】
以上説明したように本発明によれば、過去に閲覧したサイトの特定情報（ＵＲＬやページの名前等）をツリー状に表示し、この中から目的のページを選択することにより、指定したページへ直接移動することでき、高速且つ分かりやすく手間をかけずにサイトの閲覧を行うことができる。また、パケット課金、時間課金等、従量制課金の場合には、無駄な情報取得がないため通信料金を節約することができる。
【図面の簡単な説明】
【図１】本発明の第１の実施形態の構成を示すブロック図である。
【図２】図１の実施形態の表示装置の表示画面を示す図である。
【図３】図１の実施形態の動作を示すフローチャートである。
【図４】図１の実施形態による記憶装置のページ保存を説明する図である。
【図５】図１の実施形態の過去に閲覧したページの中から目的のページを選択する動作を説明する図である。
【図６】本発明の第２の実施形態を示すブロック図である。
【図７】図６の実施形態の表示装置を示す図である。
【図８】閲覧サイトの例を示す図である。
【図９】図８のサイトを閲覧した場合の記憶装置のページ保存を説明する図である。
【符号の説明】
１０１  入力装置
１０２  通信装置
１０３  演算処理装置
１０４  記憶装置
１０５  表示装置
１０５Ａ  表示装置
１０５Ｂ  表示装置
【図１】
2004362141.tif 000003
【図２】
2004362141.tif 000004
【図３】
2004362141.tif 000005
【図４】
2004362141.tif 000006
【図５】
2004362141.tif 000007
【図６】
2004362141.tif 000008
【図７】
2004362141.tif 000009
【図８】
2004362141.tif 000010
【図９】
2004362141.tif 000011